(57)【要約】【課題】空調対象の室内における人中心の空調を行うことにより、無駄な空調を抑制して省電力を図りつつ、室内に存在する人達が快適と感じる空調を行うことができる空気調和機を実現するために必要な圧力調整器の動作を短時間で確認する手法を提供する。【解決手段】空気調和機の室内機における室内側熱交換機は、第１熱交換領域と第２熱交換領域を有し、第１熱交換領域と第２熱交換領域との間に冷媒圧力を調整する圧力調整器が設けられており、前記第１熱交換領域、及び第２熱交換領域にそれぞれ設置された温度センサと、前記温度センサが検知した温度の差異と継続時間により、前記圧力調整器が動作していることを確認する。【選択図】図６
2018091586.tif 000002
【特許請求の範囲】
【請求項１】
圧縮機と室内側熱交換機と減圧器と室外側熱交換機とを接続して構成した冷媒回路を有する空気調和機であって、前記室内側熱交換器は、第１熱交換領域および第２熱交換領域とからなり、前記第１熱交換領域と前記第２熱交換領域との間には、冷媒圧力を調整する圧力調整器が設けられ、前記第１熱交換領域、第２熱交換領域には、それぞれ第１温度センサと第２温度センサとを有し、前記第１第２の温度センサが検知した温度に応じて、前記圧力調整器を制御する制御部を有する空気調和機において、前記第１第２の温度センサが検知した温度の差異および温度差異の継続時間に応じて、前記圧力調整器の動作を確認することを特徴とする空気調和機。
【請求項２】
前記第１第２の温度センサが検知した温度の差異および温度差異の継続時間に応じて、圧力調整器の動作を確認し、判定の結果について報知をすることを特徴とする請求項１記載の空気調和機。
【請求項３】
前記空気調和機は室内機を有し、前記室内機の吹出口から吹出される２領域の温度の風をそれぞれ２つに分離するセパレータを前記吹出口に設けたことを特徴とする請求項１あるいは２のいずれかに記載の空気調和機。
【請求項４】
前記セパレータは前記吹出口を上下に分割するように設けられていることを特徴とする、請求項３に記載の空気調和機。
【請求項５】
前記吹出し口には、空気の流れを上下左右に方向付ける回動可能な風向ルーバーアセンブリを備えており、前記風向ルーバーアセンブリは、上下風向ルーバーと左右風向ルーバーとを有し、前記上下風向ルーバーは、前記吹出し口における前面側となる上段羽根板と、前記吹出し口における背面側となる下段羽根板と、前記上段羽根板と前記下段羽根板との間に配設された中段羽根板となる前記セパレータとの３段羽根板により構成され、それぞれの羽根板が独立して上下方向に回動するよう構成されていることを特徴とする、請求項１〜４のいずれか一項に記載の空気調和機。
【請求項６】
前記吹出口に案内された空気の流れを上下左右に方向付ける回動可能な風向ルーバーアセンブリが備えられており、前記風向ルーバーアセンブリは、上下風向ルーバーと左右風向ルーバーとを有し、前記上下風向ルーバーは、前記吹出し口における前面側となる上段羽根板と、前記吹出し口における背面側となる下段羽根板と、前記上段羽根板と前記下段羽根板との間に配設された中段羽根板となる前記セパレータとの３段羽根板により構成され、それぞれの羽根板が独立して上下方向に回動するよう構成され、前記左右風向ルーバーは、前記上段羽根板と前記セパレータとの間に設けられた上側左右羽根と、前記下段羽根板と前記セパレータとの間に設けられた下側左右羽根とを備えたことを特徴とする、請求項１〜５のいずれか一項に記載の空気調和機。
【発明の詳細な説明】
【技術分野】
【０００１】
本発明は、室内の空調を行うための空気調和機に関し、特に送風口から吹き出された空気が異なる温度領域を有する空気調和機に関するものである。
【背景技術】
【０００２】
一般的な空気調和機においては、通常、室内への騒音および振動を抑制するために、大きな騒音源、振動源となる機器を室外機に配設し、騒音および振動の少ない機器を室内機に配設したセパレート型が用いられている。一般的なセパレート型の空気調和機における主要な構成としては、室外機には圧縮機、室外側熱交換機、室外側送風ファン、四方弁、膨張弁などが設けられており、室内機には室内側熱交換機、室内側送風ファン、制御部などが設けられている。室外機と室内機は、冷媒配管と制御用配線で互いに機械的および電気的に接続されている。このように構成されたセパレート型の空気調和機における室内機は、室内の壁面等に設置されて、室内が所望の温度となるよう空調動作が行われる。
【０００３】
そして近年の地球環境の保護、地球温暖化防止の観点において、空気調和機においての省エネルギー性能の向上が益々求められている。空気調和機において省エネルギー性能を向上させるためには、空気調和機を構成する各機器のエネルギー効率を上げて装置全体としての消費電力量を削減することが重要である。特に、空気調和機においては、室内全体が所望の温度となるように無駄な空調を行うのではなく、室内における必要な領域のみを所望の温度となるように空調を行い、快適性の維持と消費電力の削減との両立を図る構成が各種提案されている。
【０００４】
例えば、室内機の送風口である吹出し口から異なる温度の空気を室内に送り、所謂、頭寒足熱と呼ばれる快適な空調を行う試みが提案されている。特許文献１の空気調和機においては、室内機に複数の冷媒通路を設けて、それぞれの冷媒通路を複数の開閉弁の開閉制御により冷媒通路を特定し、その特定された冷媒通路に冷媒を流して異なる温度状態を熱交換器内に現出させ、空調を行っている。
【先行技術文献】
【特許文献】
【０００５】
【特許文献１】特開平８−６８５６８号公報
【発明の概要】
【発明が解決しようとする課題】
【０００６】
特許文献１の空気調和機においては、空気調和機においては、冷媒圧力を調整する圧力調整弁の開閉制御を行うことにより、室内機の熱交換機の一部に非熱交換部分を形成して、その非熱交換部分を通った空気（生空気）をそのまま吹出し口に送り、熱交換された空気と共に吹出し口から空調対象の室内に吹き出す構成である。このように、特許文献１の空気調和機は、熱交換された空気（暖気または冷気）と生空気とを吹出し口から重ねて吹き出すことにより、特に、安定運転時における効率向上を図る構成である。
【０００７】
このような従来の空気調和機においては、前記弁の開閉動作が行われなければ室内全体を所定の温度範囲に空調することが実現できず、前記弁の動作を確認しなければならないが、前記弁の開閉動作を短時間で、専門的な知識や特殊な機器を必要とせずに判断することは困難であった。
【０００８】
本発明においては、室内機の熱交換機の一部に非熱交換部分を形成して、その非熱交換
部分を通った空気（生空気）をそのまま吹出し口に送り、熱交換された空気と共に吹出し口から空調対象の室内に吹き出すために、前記弁が動作していることを短時間で、専門的な知識や特殊な機器を必要とせずに確実に行うことができることを目的とするものである。
【課題を解決するための手段】
【０００９】
本発明の空気調和機に係る一態様においては、圧縮機と室内側熱交換機と減圧器と室外側熱交換機とを接続して構成した冷媒回路を有する空気調和機であって、前記室内側熱交換器は、第１熱交換領域および第２熱交換領域とからなり、前記第１熱交換領域と前記第２熱交換領域との間には、冷媒圧力を調整する圧力調整器が設けられ、前記第１熱交換領域、第２熱交換領域には、それぞれ第１温度センサと第２温度センサとを有し、前記第１第２の温度センサが検知した温度に応じて、前記圧力調整器を制御する制御部を有する空気調和機において、暖房運転時、前記制御部は前記第１第２の温度センサが検知した温度の差異に応じて、前記圧力調整器の開度を制御するように構成されている。
【発明の効果】
【００１０】
本発明によれば、室内側熱交換器に確実に所定の温度差を持った二領域を現出させ、空調対象の室内に対して、最適な空調を行うことができる空気調和機を提供するものであり、それを提供するための冷媒圧力を調整する圧力調整弁が、動作していることを短時間で、専門的な知識や特殊な機器を必要とせずに確実に行うことができる。
【図面の簡単な説明】
【００１１】
【図１】本発明に係る実施の形態１の空気調和機における室内機の概略構成を示す縦断面図
【図２】実施の形態１の空気調和機の室内機の右側下方から見た斜視図
【図３】実施の形態１の空気調和機の室内機の右側上方から見た斜視図
【図４】実施の形態１の空気調和機における冷媒回路の模式図
【図５】実施の形態１の空気調和機の熱交換機における具体的な冷媒通路を示す図
【図６】実施の形態１の空気調和機において実行される室内機の熱交換機の二温度チェックモードを示すフローチャート。
【発明を実施するための形態】
【００１２】
本発明に係る第１の態様の空気調和機は、圧縮機と室内側熱交換機と減圧器と室外側熱交換機とを接続して構成した冷媒回路を有する空気調和機であって、前記室内側熱交換器は、第１熱交換領域および第２熱交換領域とからなり、前記第１熱交換領域と前記第２熱交換領域との間には、冷媒圧力を調整する圧力調整器が設けられ、前記第１熱交換領域、第２熱交換領域には、それぞれ第１温度センサと第２温度センサとを有し、前記第１第２の温度センサが検知した温度に応じて、前記圧力調整器を制御する制御部を有する空気調和機において、前記第１第２の温度センサが検知した温度の差異および温度差異の継続時間に応じて、前記圧力調整器の動作を確認するように構成されている。
【００１３】
上記のように構成された本発明に係る第１の態様の空気調和機は、無駄な空調を抑制して省電力を図りつつ、室内に存在する人達が快適と感じる空調を行うことが可能な二温度運転モードの空調を実施するための要の部分である圧力調整器の作動状態が正常か異常かを容易に判断できる空気調和機を提供することができる。
【００１４】
本発明に係る第２の態様の空気調和機は、前記第１第２の温度センサが検知した温度の差異および温度差異の継続時間に応じて、圧力調整器の動作を確認し、判定の結果について報知をするように構成されている。
【００１５】
上記のように構成された本発明に係る第２の態様の空気調和機は、使用者に圧力調整器の動作状態を正確に報知することができる。
【００１６】
本発明に係る第３の態様の空気調和機は、圧縮機と室内側熱交換機と減圧器と室外側熱交換機とを接続して構成した冷媒回路を有する空気調和機であって、前記室内側熱交換器は、第１熱交換領域および第２熱交換領域とからなり、前記第１熱交換領域と前記第２熱交換領域との間には、冷媒圧力を調整する圧力調整器が設けられ、前記第１熱交換領域、第２熱交換領域には、それぞれ第１温度センサと第２温度センサとを有し、前記第１第２の温度センサが検知した温度、前記圧力調整器を制御する制御部を有する空気調和機において、前記制御部は前記第１第２の温度センサが検知した温度の差異に応じて、前記圧力調整器の開度を制御するように構成され、前記温度センサと前記制御部によってその温度差を、所定の値に確実維持できるように構成されている。
【００１７】
上記のように構成された本発明に係る第３の態様の空気調和機は、空調対象の室内に対して、二温度運転モードの空調を行うことができ、無駄な空調を抑制して省電力を図りつつ、室内に存在する人達が快適と感じる空調を行うことが可能な構成となる。
【００１８】
本発明に係る第４の態様の空気調和機において、前記の第３の態様における前記温度の差異に上限値と下限値とを設け、前記温度の差異が該上限値と該下限値との間になるように圧力調整器の開度を制御するよう構成してもよい。
【００１９】
この構成をなすことにより、温度差を所定の値に確実維持できる。
【００２０】
本発明に係る第５の態様の空気調和機において、前記の第３あるいは第４の態様における空気調和機は室内機を有し、前記室内機の吹出口から吹出される２領域の温度の風を、それぞれ２つに分離するセパレータを前記吹出口に設けるよう構成してもよい。この構成をなすことにより、第１温度の風と第２温度の風とが混合しにくくなり、吹出し風の温度を明確に二温度に吹き分けることができる。
【００２１】
本発明に係る第６の態様の空気調和機において、前記の第５の態様のセパレータは前記吹出口を上下に分割するように設けられているよう構成してもよい。この構成をなすことにより、熱交換器の温度領域を空気調和機の前後方向あるいは上下方向に二分割にした場合に、第１温度の風と第２温度の風とが混合しにくくなると共に、風向の制御が確実になされ、室内の温調への効果が向上する。
【００２２】
本発明に係る第７の態様の空気調和機において、前記第３〜第６の態様の吹出し口には、空気の流れを上下左右に方向付ける回動可能な風向ルーバーアセンブリを備えており、前記風向ルーバーアセンブリは、上下風向ルーバーと左右風向ルーバーとを有し、前記上下風向ルーバーは、前記吹出し口における前面側となる上段羽根板と、前記吹出し口における背面側となる下段羽根板と、前記上段羽根板と前記下段羽根板との間に配設された中段羽根板となる前記セパレータとの３段羽根板により構成され、それぞれの羽根板が独立して上下方向に回動するよう構成してもよい。この構成をなすことにより、室内の複数の領域の温調を個別且つ同時に実施することができる。
【００２３】
本発明に係る第８の態様の空気調和機において、前記の第３〜第７の態様における吹出口に案内された空気の流れを上下左右に方向付ける回動可能な風向ルーバーアセンブリが備えられており、前記風向ルーバーアセンブリは、上下風向ルーバーと左右風向ルーバーとを有し、前記上下風向ルーバーは、前記吹出し口における前面側となる上段羽根板と、前記吹出し口における背面側となる下段羽根板と、前記上段羽根板と前記下段羽根板との間に配設された中段羽根板となる前記セパレータとの３段羽根板により構成され、それぞ
れの羽根板が独立して上下方向に回動するよう構成され、前記左右風向ルーバーは、前記上段羽根板と前記セパレータとの間に設けられた上側左右羽根と、前記下段羽根板と前記セパレータとの間に設けられた下側左右羽根とを備えるよう構成されてもよい。この構成をなすことにより、室内の複数の領域の温調を個別且つ同時に実施することができる。
【００２４】
以下、本発明の空気調和機に係る一態様の実施の形態について、図面を参照しながら説明する。なお、同じ要素には同じ符号を付して、説明が重複する場合にはその説明を省略する場合がある。また、図面は、理解しやすくするために、それぞれの構成要素を主体に模式的に示している。
【００２５】
なお、以下で説明する実施の形態は、いずれも本発明の空気調和機の一例を示すものであり、例えば実施の形態において示される数値、形状、構成、ステップ、およびステップの順序などは例示であり、これらの例示の内容で本発明を限定するものではない。本明細書において左右方向とは、対象の装置または機器に向かっての左右方向を示している。以下の実施の形態における構成要素のうち、最上位概念を示す独立請求項に記載されていない構成要素については、任意の構成要素として説明される。全ての実施の形態において、各々の変形例における変形部分以外の構成は同様であり、各変形例に記載した構成をそれぞれ組み合わせて構成することも可能であり、それぞれの構成の効果を奏するものである。また、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００２６】
（実施の形態１）
実施の形態１の空気調和機は、室内機と室外機が冷媒配管及び制御配線等により互いに接続された、所謂セパレート型の空気調和機である。室内機と室外機によりヒートポンプが構成されており、室外機には圧縮機が設けられている。実施の形態１の空気調和機における室内機は、室内の壁面に取り付ける壁掛け式室内機である。
【００２７】
図１は、本発明に係る実施の形態１の空気調和機における室内機の概略構成を示す縦断面図である。図１に示した実施の形態１の空気調和機は、空調運転時の一状態を示している。
【００２８】
図１に示すように、室内機１は、室内機１の上部に形成された空気の吸込み口となる上面開口部２ａと、室内機１の内部で熱交換された空気を吹き出す送風口である吹出し口２ｂとを有している。また、室内機１の下部に形成された吹出し口２ｂには、当該吹出し口２ｂを開閉するとともに、空気の吹き出し方向を上下左右のあらゆる方向に調整することができる風向変更手段である風向ルーバーアセンブリ３が設けられている。風向ルーバーアセンブリ３は、風向きを上下方向に変更する複数の羽根板で構成された上下風向ルーバー３０と、風向きを左右方向に変更する複数の羽根板で構成された左右風向ルーバー４０とにより構成されている。
【００２９】
室内機１の内部には、室内空気に含まれる塵埃を除去するためのフィルタ４と、上面開口部２ａからフィルタ４を通して取り入れた室内空気を熱交換する室内側の熱交換機５と、上面開口部２ａである吸込み口から吸い込んだ空気を熱交換機５で熱交換して吹出し口２ｂから室内に吹き出す気流を形成する室内側ファン６と、が設けられている。室内側ファン６としては、例えば、円周方向の気流を発生させる横置きされた円筒形状のクロスフローファンが用いられている。図１に示すように、室内側の熱交換機５は、室内側ファン６の下方の吹き出し方向を除く、略逆Ｖ字型に構成された前面側と上方側と背面側の概ね三方を囲むように設けられており、背面側熱交換部５ａ、および前面側熱交換部における上側の第１熱交換部５ｂと下側の第２熱交換部５ｃにより構成されている。
【００３０】
また、室内機１の内部において、室内側ファン６の下流側から吹出し口２ｂに至る通風路７は、室内側ファン６の下流側に配置され背面側に設けられて、背面側の気流を吹出し口２ｂに案内する機能をもつ背面側案内部であるリアガイダ８と、このリアガイダ８に対向して室内側ファン６の前面側に設けられ、通風路７における前面側の気流を安定させて案内する機能をもつ前面側案内部であるスタビライザ９と、室内機１における両側壁面（図示せず）とにより構成されている。スタビライザ（前面側案内部）９は、リアガイダ（背面側案内部）８と共に吹出し口２ｂを形成し、室内側ファン６からの気流を吹出し口２ｂに案内する機能をもつ。室内機１の前面には、前面パネル２ｃが設けられており、前面パネル２ｃは室内機１の内部のフィルタ４などの交換、掃除などのために開放可能に構成されている。
【００３１】
図２および図３は、実施の形態１の空気調和機を示す斜視図であり、図２が空気調和機の吹出し口２ｂなどが現れる室内機１の前面側を右側下方から見た図であり、図３が空気調和機における空気の吸込み口である上面開口部２ｂを示すように室内機１の右側上方から見た図である。
【００３２】
図２に示すように、吹出し口２ｂには風向ルーバーアセンブリ３が回動可能に設けられており、吹出し口２ｂが開閉可能に構成されている。風向ルーバーアセンブリ３は、風向きを上下方向に変更する複数の羽根板で構成された上下風向ルーバー３０と、風向きを左右方向に変更する複数の羽根板で構成された左右風向ルーバー４０とにより構成されている。
【００３３】
上下風向ルーバー３０は、吹出し口２ｂにおける前面側となる上段羽根板３１と、吹出し口２ｂにおける背面側となる下段羽根板３３と、吹出し口２ｂにおける中央部分であり、上段羽根板３１と下段羽根板３３との間に配設された中段羽根板３２と、を有して構成された、上中下の３段羽根板構成である。上段羽根板３１と下段羽根板３３との間の中段羽根板３２は、後述するように吹出し口２ｂにおける二温度のセパレータとしての機能を有する。また、セパレータとしての中段羽根板３２は、その左右方向の中央で２分割されており、中段左羽根板３２ａおよび中段右羽根板３２ｂを有している。
【００３４】
左右風向ルーバー４０は、上段羽根板３１と中段羽根板３２（セパレータ）との間に形成される上側吹出し領域ＦＡに配設される上側左右羽根４０ａと、中段羽根板３２（セパレータ）と下段羽根板３３との間に形成される下側吹出し領域ＢＡに配設される下側左右羽根４０ｂとを有しており、上下２段構成である。なお、本実施の形態１の構成においては、上側吹出し領域ＦＡが第１吹出し口となり、下側吹出し領域ＢＡが第２吹出し口となる。
【００３５】
また、実施の形態１の空気調和機の室内機１には、電装ユニット（図示なし）などが設けられており、電装ユニットには制御部５０（図１参照）が含まれている。この制御部５０において、上下風向ルーバー３０、左右風向ルーバー４０、室内側ファン６、および室外機の圧縮機や、後述の圧力調整器１２などの駆動制御を行い、当該空気調和機の空調運転を制御している。制御部５０は、マイクロコンピュータ等で構成されており、後述する複数のセンサからの各種情報に基づいて当該空気調和機の空調運転を制御する。
【００３６】
実施の形態１の空気調和機において用いられているセンサとしては、室内機１に設けられた人感センサ１０、温冷感センサ１１、床温センサ（図示なし）、日射センサ（図示なし）、および後述する熱交換機５における各部位の温度を検出する複数の温度センサ（１８ａ，１８ｂ）などが含まれる。人感センサ１０および温冷感センサ１１は、室内における空調対象領域からの赤外線に基づいて人の存在、人の移動、および熱画像情報などを検
出する構成である。また、床温センサは空調対象領域の床温度を検出し、日射センサは空調対象領域における日当たり状態を検出している。各種センサにより検出された各種情報は制御部５０に送られて、それらの各種情報に基づいて当該空気調和機が駆動制御されると共に、各種センサによる検出状態などの一部は室内機１における前面パネル２ｃに設けられた発光表示部１９において表示される。
【００３７】
人感センサ１０は、人体から放射される赤外線を検知する焦電素子型赤外線センサである。人感センサ１０は、空調対象領域における赤外線量の変化により、人の存否、人の移動を検出する。
【００３８】
温冷感センサ１１は、サーモパイルセンサであり、多数の熱電素子型のセンサ素子をマトリクス状に配置して構成されている。マトリクス状のセンサ素子の前方には集光レンズが設けられている。実施の形態１においては、例えば、センサ素子が８×８のマトリクス状に配置されている。実施の形態１の温冷感センサ１１においては、マトリクス状に配設されたセンサ素子の縦・横が回転軸に対して斜めに傾けた状態で回動して走査され、熱画像情報を示す信号を出力するよう構成されている。
【００３９】
実施の形態１の空気調和機における温冷感センサ１１であるサーモパイルセンサは、空調対象領域である室内における床面および壁面などの熱画像情報（温度分布情報）および／または室内に存在する人の熱画像情報（温度分布情報）の二次元の熱画像情報を形成している。この熱画像情報は、温冷感センサ１１により検出された赤外線量により形成されている。
【００４０】
図４は、本発明に係る実施の形態１の空気調和機における冷媒回路を模式的に示した図である。実施の形態１の空気調和機において、室内側ファン６の下方の吹き出し方向を除く、略逆Ｖ字型に構成された前面側と上方側と背面側の概ね三方を囲むように配設された室内側の熱交換機５において、背面側熱交換部５ａと前面側第１熱交換部５ｂにより第１熱交換領域Ｘが構成され、前面側第２熱交換部５ｃにより第２熱交換領域Ｙが構成される。図４の冷媒回路に示すように、背面側熱交換部５ａと前面側第１熱交換部５ｂとにより構成される第１熱交換領域Ｘと、前面側第２熱交換部５ｃにより構成される第２熱交換領域Ｙとの間の冷媒管路（冷媒通路）には、冷媒圧力を調整する圧力調整器１２が設けられている。実施の形態１の空気調和機の構成において、暖房運転時の圧力調整器１２が冷媒圧力を降下させる膨張弁として機能する。なお、当該膨張弁に、全開時に直管と同じ位の低い圧力損失のものを使用することで、通常の暖房運転や通常の冷房運転をする際の効率低下を防ぐことができる。
【００４１】
図４に示すように、実施の形態１の空気調和機における冷媒回路においては、圧縮機１３の吐出側に電動四方弁１４が接続されており、暖房運転時には圧縮機１３からの冷媒が熱交換機５の背面側熱交換部５ａおよび前面側第１熱交換部５ｂに送り込まれる構成である。背面側熱交換部５ａおよび前面側第１熱交換部５ｂに送り込まれた冷媒は、圧力調整器１２を介して前面側第２熱交換部５ｃに送り込まれる。暖房運転時の冷媒回路においては、前面側第２熱交換部５ｃから室外側膨張弁である減圧器１５、室外側熱交換機１６を通り、電動四方弁１４を介して圧縮機１３に冷媒が流れて、冷媒循環回路が形成される。室外側熱交換機１６の近傍には室外側ファン１７が設けられている。なお、冷房運転時においては、電動四方弁１４が切り替わり、冷媒の流れ方向が逆となる。
【００４２】
上記のように、実施の形態１の空気調和機においては、背面側熱交換部５ａと前面側第１熱交換部５ｂにより構成される第１熱交換領域Ｘと、前面側第２熱交換部５ｃにより構成される第２熱交換領域Ｙとの間に圧力調整器１２が設けられており、第１熱交換領域Ｘと第２熱交換領域Ｙの冷媒圧力において圧力差を設けることができる構成である。
【００４３】
図５は、実施の形態１の空気調和機の構成において、熱交換機５（５ａ，５ｂ，５ｃ）における具体的な冷媒通路を例示として示す図であり、当該空気調和機の室内機１の縦断面図である。図５に示す冷媒通路における冷媒の流れ方向は、暖房運転時を示す。
【００４４】
図５に示すように、実施の形態１の空気調和機の熱交換機５において、暖房運転時の冷媒は、第１熱交換領域Ｘにおける４カ所の冷媒入口（Ａ，Ｂ，Ｃ，Ｄ）から流れ込む。即ち、第１熱交換領域Ｘにおける背面側熱交換部５ａの２カ所の冷媒入口（Ａ，Ｂ）と、前面側第１熱交換部５ｂの２カ所の冷媒入口（Ｃ，Ｄ）から冷媒が供給される。背面側熱交換部５ａの２カ所の冷媒入口（Ａ，Ｂ）から供給された冷媒は、背面側熱交換部５ａにおいて熱交換し、２カ所の導出部（Ｅ，Ｆ）から圧力調整器１２に送られる。同様に、前面側第１熱交換部５ｂの２カ所の冷媒入口（Ｃ，Ｄ）から供給された冷媒は、前面側第１熱交換部５ｂにおいて熱交換し、２カ所の導出部（Ｇ，Ｈ）から圧力調整器１２に送られる。暖房運転時において圧力調整器１２で減圧された冷媒は、第２熱交換領域Ｙである前面側第２熱交換部５ｃの４カ所の導入部（Ｉ，Ｊ，Ｋ，Ｌ）に送られる。前面側第２熱交換部５ｃにおいて熱交換された冷媒は、４カ所の導出部（Ｍ，Ｎ，Ｏ，Ｐ）から前面側第１熱交換部５ｂにおける外部空気の取入れ側に設けられた過冷却部５ｄの導入部（Ｑ）に送られる。そして、過冷却部５ｄにおいて熱交換された冷媒は、導出部（Ｒ）から背面側熱交換部５ａにおける外部空気の取入れ側に設けられた過冷却部５ｅの導入部（Ｓ）に送られる。この過冷却部５ｅの導出部（Ｔ）が暖房運転時の熱交換機５における冷媒出口となる。なお、冷媒運転時の冷媒の流れは、暖房運転時の逆方向の流れとなる。
【００４５】
上記のように、実施の形態１の空気調和機の暖房運転時においては、熱交換機５における第１熱交換領域Ｘに圧縮機１３からの冷媒が送られる。この結果、第１熱交換領域Ｘにおいては高温度の冷媒が流れているため、第１熱交換領域Ｘが高温度である第１凝縮温度を形成する熱交換領域となる。第１熱交換領域Ｘから導出した冷媒は、次に圧力調整器１２において減圧されて中温度の冷媒となり、前面側第２熱交換部５ｃにおいて第１凝縮温度より低い第２凝縮温度を形成する第２熱交換領域Ｙに送られる。実施の形態１において、後述する二温度運転モードにおける高温度は、そのとき吹き出される中温度より相対的に高い温度であり、中温度とは、高温度と室内温度との間の温度である。例えば、実施の形態１の構成において、吹き出される高温度としては３０℃〜５５℃の範囲であり、中温度としては高温度より所定の温度だけ低くなる範囲である。高温度と中温度との相対的な温度差は、温度センサ１８ａ，１８ｂ（図４参照）において検出され、制御部５０に入力され、圧力調整器１２の開度を制御することで所定の温度差を現出できる。
【００４６】
実施の形態１の空気調和機においては、前述のように、第１熱交換領域Ｘ、及び第２熱交換領域Ｙの温度を、温度センサ１８ａ，１８ｂ（図４参照）において検出し、制御部５０に入力され、圧力調整器１２の開度を制御することで、第１熱交換領域Ｘと第２熱交換領域Ｙの対的な温度差を所定の温度差の範囲に保つことができるようになり、室内に存在する人の位置や、人の活動量などに応じた人中心空調を行うことで、その人が快適と感じる空調を確実に行うものである。
【００４７】
当該制御を実施し、快適な空調を実施するいは、圧力調整器が確実に動作することが肝要である。
【００４８】
もし万一、圧力調整器の動作に不具合が生じた場合は、速やかに動作を修正するなり、使用者に報知する必要がある。これを行うのが「二温度チェックモード」である。
【００４９】
図６は二温度チェックモードに関するフローチャートである。２つの温度センサからの入力から第１熱交換領域Ｘと第２熱交換領域Ｙの温度差及び時間を算出し、その値に応じ
て圧力調整装置１２の動作を判断する。
【００５０】
以下、実施の形態１の空気調和機における二温度チェックモードの具体的な例について説明する。
【００５１】
まず、ステップ１０１で室外機に取り付けられた外気温センサ（図示なし）によって、現在の外気温を読みとり、外気温に応じた空調運転（冷房あるいは暖房）を実施する。
【００５２】
例えば、暖房条件と判断した場合には、ステップ１１２で暖房運転とし、まず制御部５０から圧力調整器１２の弁開度を最大にするように指示される（ステップ１１３）。
【００５３】
続いて、第１熱交換領域Ｘと第２熱交換領域Ｙの温度、それぞれＴ１とＴ２とし、Ｔ１―Ｔ２が継続する時間の測定を行う（ステップ１１４）。所定の時間（例えば６０秒）、Ｔ１―Ｔ２が所定の温度差の範囲（例えば５℃）よりも高い状態が継続した場合、例えば、この時、圧力調整器１２の開度が最大時には、直管と同じ位の低い圧力損失であるため、温度差がつくことはなく、温度差が発生するということは、弁が正しく動作していないと判断し、異常報知する（ステップ１３０）。
【００５４】
なお、ステップ１０１で冷房条件と判断した場合においても弁開度を最大にして（ステップ１０３）、所定の時間（例えば６０秒）、Ｔ２―Ｔ１が所定の温度差の範囲（例えば５℃）について測定が行われる（ステップ１０４）。
【００５５】
そしてＴ２−Ｔ１が、所定の温度差の範囲（例えば５℃）よりも高い状態が継続した場合、例えば、この時、圧力調整器１２の開度が最大時には、直管と同じ位の低い圧力損失であるため、温度差がつくことはなく、温度差が発生するということは、弁が正しく動作していないと判断し、異常報知する（ステップ１３０）。
【００５６】
次に、例えば、暖房条件時（ステップ１１２）、圧力調整器の弁開度を最大にし、Ｔ１―Ｔ２が、所定の温度差の範囲よりも高い状態が所定時間継続しない場合（ステップ１１６）について説明する。
【００５７】
圧力調整器１２の開度が最大時には、直管と同じ位の低い圧力損失であるため、温度差は所定の温度差の範囲よりも低いため、弁は最大開度に制御できたと判断する（ステップ１２０）。例えば、冷房運転時では所定の時間（例えば６０秒）、Ｔ２―Ｔ１が所定の温度差の範囲（例えば５℃）について測定が行われる。
【００５８】
そして、圧力調整器の弁は最大開度に制御できたと判断した場合、第１熱交換領域Ｘと第２熱交換領域Ｙの温度差がつくように、制御部５０から圧力調整器の開度を調整するように指示される（ステップ１１５）。
【００５９】
また、ステップ１１６で、Ｔ１―Ｔ２が所定の温度差（例えば５℃）よりも低い場合について説明する。この時、所定の温度差を確認できるように制御するが、確認できなかった場合は、弁が動作していないと判断し、異常報知を行う（ステップ１３０）。また、所定の時間（例えば６０秒）、Ｔ１―Ｔ２が、所定の温度差の範囲よりも高い場合、例えば、前記指示通り、弁は差温制御状態であると考えられ、弁が制御通り、正常に動作していることについて、前記動作してない場合とは異なる報知をする。
【００６０】
本開示をある程度の詳細さをもって実施の形態において説明したが、実施の形態の開示内容は構成の細部において変化してしかるべきものであり、実施の形態における要素の組合せや順序の変化は請求された本開示の範囲及び思想を逸脱することなく実現し得るもの
である。
【産業上の利用可能性】
【００６１】
本発明は、空調対象領域に存在する人に対して、その人が好適と感じるきめの細かい空調制御を行うことができる空気調和機を提供できるため、実用性の高い空調機器となる。
【符号の説明】
【００６２】
１  室内機
２  フィルタ
３  風向ルーバーアセンブリ
４  フィルタ
５  熱交換機
６  室内側ファン
７  通風路
８  リアガイダ（背面側案内部）
９  スタビライザ（前面側案内部）
１０  人感センサ
１１  温冷感センサ
１２  圧力調整器
１３  圧縮機
１４  電動四方弁
１５  減圧器
１６  室外側熱交換機
１７  室外側ファン
２０  ミニ羽根
３０  上下風向ルーバー
３１  上段羽根板
３２  中段羽根板
３２ａ  中段左羽根板
３２ｂ  中段右羽根板
３３  下段羽根板
４０  左右風向ルーバー
４０ａ  上側左右羽根
４０ｂ  下側左右羽根
５０  制御部
Ｘ  第１熱交換領域
Ｙ  第２熱交換領域
【図１】
2018091586.tif 000003
【図２】
2018091586.tif 000004
【図３】
2018091586.tif 000005
【図４】
2018091586.tif 000006
【図５】
2018091586.tif 000007
【図６】
2018091586.tif 000008